(57)【要約】  【課題】  ネットワーク設備を用意しなくても、端末の画面を同一のものとして画面共有ができるようにする。  【解決手段】  画面共有装置３（ホスト端末側）及び画面共有装置４（クライアント端末側）が情報機器用のインタフェースに接続されたことを検知すると、所定のソフトウェアをインストールする。画面共有装置３はホスト端末２から画面情報を読み取り、無線通信手段により伝送する。画面共有装置４は前記画面情報を受信して表示する。画面共有装置３及び画面共有装置４は、情報機器用のインタフェースへの接続が切断されたことを検知すると、ソフトウェアをアンインストールする。【選択図】  図２
2006127200.tif 000002
【特許請求の範囲】
【請求項１】
端末に備えられた情報機器用のインタフェースに接続可能であり、
前記端末の情報機器用のインタフェースに接続されたことを検知して、所定のソフトウェアをインストールするインストール手段と、
前記情報機器用のインタフェースにより接続された端末がホスト端末である場合、当該ホスト端末の画面情報を読み取る画面情報読取手段と、
読み取った前記画面情報を送信する無線通信手段と、
前記情報機器用のインタフェースにより接続された端末がクライアント端末である場合、無線通信手段により前記画面情報を受信し、当該クライアント端末の画面に前記画面情報を表示する画面情報表示手段と、
前記端末の情報機器用のインタフェースの接続が切断されたことを検知して、所定のソフトウェアをアンインストールするアンインストール手段と、
を有することを特徴とする画面共有装置。
【請求項２】
最初に前記情報機器用のインタフェースに接続された端末をホスト端末とすることを特徴とする請求項１に記載の画面共有装置。
【請求項３】
前記情報機器用のインタフェースにより接続された端末を、所定の選択方法でホスト端末とするか、あるいは、クライアント端末とするかを選択することを特徴とする請求項１に記載の画面共有装置。
【請求項４】
前記情報機器用のインタフェースは、ＵＳＢ（Universal Serial Bus）インタフェースであることを特徴とする請求項１に記載の画面共有装置。
【請求項５】
前記無線通信手段は、ブルートゥース（登録商標）方式の無線通信手段であることを特徴とする請求項１〜４のいずれか１項に記載の画面共有装置。
【請求項６】
ホスト端末と少なくとも１つのクライアント端末を有し、前記ホスト端末と前記クライアント端末に請求項１〜５のいずれか１項に記載の画面共有装置を前記情報機器用のインタフェースを介してそれぞれ接続し、前記ホスト端末に接続された画面共有装置から前記クライアントに接続された画面共有装置に対して、前記無線通信手段によって前記ホスト端末に表示された画面情報を伝送することを特徴とする画面共有システム。
【請求項７】
請求項１〜５のいずれか１項に記載の画面共有装置が情報機器用のインタフェースに接続されたことを検知するステップと、
前記画面共有装置が前記情報機器用のインタフェースに接続されたことを検知した場合に、所定のソフトウェアをインストールするステップと、
ホスト端末の表示画面情報を読み取るステップと、
読み取った画面情報を無線通信手段により送信するステップと、
前記無線通信手段により伝送されてきた前記画面情報を受信するステップと、
受信した前記画面情報をクライアント端末に表示するステップと、
前記情報機器用のインタフェースへの接続が切断されたことを検知するステップと、
前記情報機器用のインタフェースへの接続が切断されたことを検知した場合に、前記所定のソフトウェアをアンインストールするステップと、
を含むことを特徴とする画面共有方法。
【請求項８】
コンピュータに、
請求項１〜５のいずれか１項に記載の画面共有装置が情報機器用のインタフェースに接続されたことを検知する機能と、
前記画面共有装置が前記情報機器用のインタフェースに接続されたことを検知した場合に、所定のソフトウェアをインストールする機能と、
ホスト端末の表示画面情報を読み取る機能と、
読み取った画面情報を無線通信手段により送信する機能と、
前記無線通信手段により伝送されてきた前記画面情報を受信する機能と、
受信した前記画面情報をクライアント端末に表示する機能と、
前記情報機器用のインタフェースへの接続が切断されたことを検知する機能と、
前記情報機器用のインタフェースへの接続が切断されたことを検知した場合に、前記所定のソフトウェアをアンインストールする機能と、
を実現させることを特徴とする画面共有プログラム。
【発明の詳細な説明】
【技術分野】
【０００１】
本発明は、会議などの各出席者がノート型コンピュータなどの端末を持ち込んだ場合、ホスト端末となるノート型コンピュータの画面とクライアント端末となるノート型コンピュータの画面と共有する画面共有装置、該画面共有装置を用いた画面共有システム、該画面共有システムによる画面共有方法及び画面共有プログラムに関するものである。
【背景技術】
【０００２】
従来、会議などの席上において、プレゼンテーションなどを行う際に、会議の出席者が同一画面を見る（画面を共有する）方法として、プロジェクタによって投影した画面を見ながら会議を進める方法がある。
【０００３】
また、遠隔地にいながらプレゼンテーションの画面を共有する画面共有システムとして、例えば、特開２００３−５８４７９号公報（特許文献１）に開示された遠隔プレゼンテーションシステムがある。図６にその遠隔プレゼンテーションシステムの概略構成図を示す。
【０００４】
この遠隔プレゼンテーションシステムは、図６において、情報要求者は、自己のクライアントコンピュータ端末から要求情報を当該システムの掲示板に掲載し、これを見た情報提供者は、自己のクライアントコンピュータ端末から提供情報を送信すると共に、プレゼンテーション日程を当該システムを通して両者で決定し、合意した日時になると両者が当該システムに接続して通信回線を通して音声情報及び画像情報の両方を用いてプレゼンテーションを行う。
この際に、画像同期システムによって情報提供者と情報要求者の両クライアントコンピュータの画面を同一画面となし、同一画面を見ながら質疑応答もできる様にする。
【０００５】
【特許文献１】特開２００３−５８４７９号公報
【発明の開示】
【発明が解決しようとする課題】
【０００６】
しかしながら、プロジェクタを使用したプレゼンテーションにおける出席者が画面を共有する方法は、使用するプロジェクタに高輝度な仕様が要求されるなど高額な機材を用意する必要がある。また、画面となるスクリーン等も必要であり、またスクリーンに対し正面に座らないと見難いため広い部屋が必要であり、プロジェクタやスクリーン等のセッティングの手間もかかる。
【０００７】
また、前記特許文献１の遠隔プレゼンテーションシステムのように、コンピュータ端末の画面を共有する技術を用いれば、ノート型コンピュータ等の端末を会議の各出席者用にそれぞれ設置し、会議中に各出席者の端末の画面に同一の画像を表示する（画面を共有する）ことができ、プロジェクタを使用しなくてもプレゼンテーションを行うことができる。
【０００８】
ところが、上記従来の技術では、ＬＡＮ等のネットワークの構築や、共有する予定となる画面のファイルをサーバに保存することや、画面共有を実現するための専用ソフトウェアのインストール及びネットワークのアクセス権の設定などが必要であるので、ネットワーク設備のない場所に端末を持ち込んだ場合などでは、画面共有ができないという問題があった。また、これらを実施するためには複雑な処理や機能が必要であり、規模の大きいプログラム開発や高額な設備、機材が必要で、非常に多くの費用や時間が掛かる。
【０００９】
本発明は、従来の問題を解決するためになされたもので、プロジェクタ等の高額な機材を用いることなく、あるいは、複雑なプログラムやネットワーク設備、広い部屋を用意しなくても、端末の画面を同一のものとして画面共有ができる画面共有装置、画面共有システム、画面共有方法、画面共有プログラムを提供することを目的とする。
【課題を解決するための手段】
【００１０】
上記の目的を達成するために、本発明に係る画面共有装置は、端末に備えられた情報機器用のインタフェースに接続可能であり、前記端末の情報機器用のインタフェースに接続されたことを検知して、所定のソフトウェアをインストールするインストール手段と、前記情報機器用のインタフェースにより接続された端末がホスト端末である場合、当該ホスト端末の画面情報を読み取る画面情報読取手段と、読み取った前記画面情報を送信する無線通信手段と、前記情報機器用のインタフェースにより接続された端末がクライアント端末である場合、無線通信手段により前記画面情報を受信し、当該クライアント端末の画面に前記画面情報を表示する画面情報表示手段と、前記端末の情報機器用のインタフェースの接続が切断されたことを検知して、所定のソフトウェアをアンインストールするアンインストール手段と、を有することを特徴とする。
また、最初に前記情報機器用のインタフェースにより接続された端末をホスト端末とすることを特徴とする。
また、前記情報機器用のインタフェースにより接続された端末を、所定の選択方法でホスト端末とするか、あるいは、クライアント端末とするかを選択することを特徴とする。
また、前記情報機器用のインタフェースは、ＵＳＢ（Universal Serial Bus）インタフェースであることを特徴とする。
また、前記無線通信手段は、ブルートゥース（登録商標）方式の無線通信手段であることを特徴とする。
【００１１】
本発明に係る画面共有システムは、ホスト端末と少なくとも１つのクライアント端末を有し、前記ホスト端末と前記クライアント端末に上記の本発明に係る画面共有装置を前記情報機器用のインタフェースを介してそれぞれ接続し、前記ホスト端末に接続された画面共有装置から前記クライアントに接続された画面共有装置に対して、前記無線通信手段によって前記ホスト端末に表示された画面情報を伝送することを特徴とする。
【００１２】
本発明に係る画面共有方法は、上記の本発明に係る画面共有装置が情報機器用のインタフェースに接続されたことを検知するステップと、前記画面共有装置が前記情報機器用のインタフェースに接続されたことを検知した場合に、所定のソフトウェアをインストールするステップと、ホスト端末の表示画面情報を読み取るステップと、読み取った画面情報を無線通信手段により送信するステップと、前記無線通信手段により伝送されてきた前記画面情報を受信するステップと、受信した前記画面情報をクライアント端末に表示するステップと、前記情報機器用のインタフェースへの接続が切断されたことを検知するステップと、前記情報機器用のインタフェースへの接続が切断されたことを検知した場合に、前記所定のソフトウェアをアンインストールするステップと、を含むことを特徴とする。
【００１３】
本発明に係る画面共有プログラムは、コンピュータに、上記の本発明に係る画面共有装置が情報機器用のインタフェースに接続されたことを検知する機能と、前記画面共有装置が前記情報機器用のインタフェースに接続されたことを検知した場合に、所定のソフトウェアをインストールする機能と、ホスト端末の表示画面情報を読み取る機能と、読み取った画面情報を無線通信手段により送信する機能と、前記無線通信手段により伝送されてきた前記画面情報を受信する機能と、受信した前記画面情報をクライアント端末に表示する機能と、前記情報機器用のインタフェースへの接続が切断されたことを検知する機能と、前記情報機器用のインタフェースへの接続が切断されたことを検知した場合に、前記所定のソフトウェアをアンインストールする機能と、を実現させることを特徴とする。
【発明の効果】
【００１４】
本発明によれば、プロジェクタ等の高額な機材を用いることなく、あるいは、ネットワーク設備を用意し、端末間でデータの共有を行うネットワークを構築しなくても、表示されるコンピュータ画面を同一のものとする画面共有ができる。
【発明を実施するための最良の形態】
【００１５】
以下、本発明に係る画面共有装置の好適な実施の形態について、図面を参照して詳細に説明する。図１は、本発明の実施の形態の画面共有システム１の概念図である。
図１において、ホスト端末２とクライアント端末５は機能的に区別がないが、ホスト端末２は、画面共有装置３をそのＵＳＢインタフェースに接続することにより、画面共有装置３の記憶部３３ａ（図３参照）に記憶されているホスト用の画面共有プログラムがインストールされ、各クライアント端末５に画面情報を送信する。
【００１６】
同様に、クライアント端末５は、画面共有装置４をそのＵＳＢインタフェースに接続することにより、画面共有装置４の記憶部４３ａ（図４参照）に記憶されているクライアント用の画面共有プログラムがインストールされ、ホスト端末２からの画面情報を受信し、表示する。
【００１７】
上述のように、１台のホスト端末２は、近隣にある複数台のクライアント端末５に画面情報を送信することができるので、１台のホスト端末２と複数台のクライアント端末５とは画面共有ができる。
なお、上記ホスト端末２及びクライアント端末５はＵＳＢインタフェースを備えたコンピュータであればよく、図１の例ではともにノート型コンピュータである。
【００１８】
図２は、画面情報の伝送の方法を示すための画面共有システム１の構成を示すブロック図である。
図２のブロック図に示すように、本実施の形態の画面共有システム１では、ホスト端末２に表示出力された画面情報は、ＵＳＢインタフェースを介して画面共有装置３により出力され、この画面情報は、画面共有装置３が備える無線通信手段によって、外部に送出される。
この送出された画面情報は、ホスト端末の近隣に存在する画面共有装置４によって受信され、この画面共有装置４のＵＳＢインタフェースを介してクライアント端末５に出力され、クライアント端末５の画面にこの画面情報が表示される。
上述の無線通信手段としては、例えば、近距離無線通信方式の一方式であるブルートゥース（登録商標）方式を用いることができる。
【００１９】
図３は、画面共有装置３の構成を示すブロック図である。
ホスト端末側の画面共有装置である画面共有装置３は、ホスト端末２の表示画面のスクリーンコピーを画面情報として読み取る、またはＶＲＡＭ（Video Random Access Memory）から画像情報を読み取る画面情報読取部３１と、この読み取った画面情報をアンテナ３８を介して近距離無線通信方式の一方式であるブルートゥース方式（無線通信手段）によって送信する画面情報送信部３２と、画面共有装置３の全体を制御し記憶部３３ａを有する制御部３３と、画面共有装置３がＵＳＢインタフェース（情報機器用のインタフェース）に接続されたことを検知する接続検知部３４と、画面共有装置３がＵＳＢインタフェースに接続されたことを検知した場合、ドライバや画面情報取得、画面情報通信など必要なソフトウェアをホスト端末２にインストールするインストール部３５と、ＵＳＢインタフェースへの接続が切断されたことを検知する切断検知部３６と、ＵＳＢインタフェースへの接続が切断された場合、ホスト端末２にインストールされたソフトウェアをアンインストールするアンインストール部３７と、信号の送受信を行うアンテナ３８と、アンテナ３８からの信号を受信する信号受信部３９と、を有して構成されている。制御部３３内の記憶部３３ａには、画像情報などの可変情報を記憶するＲＡＭやフラッシュＲＯＭとソフトウェアなどの固定情報を記憶するＲＯＭで構成されている。
【００２０】
図４は、クライアント側の画面共有装置４の構成を示すブロック図である。
クライアント用の画面共有装置である画面共有装置４は、アンテナ４８を介してブルートゥース方式（無線通信手段）によって伝送されてきた画面情報を受信する画面情報受信部４１と、受信した画面情報をクライアント端末５のＶＲＡＭなどに書き込む等により表示部に表示する画面情報表示部４２と、画面共有装置４の全体を制御し記憶部４３ａを有する制御部４３と、画面共有装置４がＵＳＢインタフェース（情報機器用のインタフェース）に接続されたことを検知する接続検知部４４と、画面共有装置４がＵＳＢインタフェースに接続されたことを検知した場合、ドライバや画面情報表示、画面情報通信など必要なソフトウェアをクライアント端末５にインストールするインストール部４５と、ＵＳＢインタフェースへの接続が切断されたことを検知する切断検知部４６と、ＵＳＢインタフェースへの接続が切断された場合、クライアント端末５にインストールされたソフトウェアをアンインストールするアンインストール部４７と、信号の送受信を行うアンテナ４８と、アンテナ４８を介して信号を送信する信号送信部４９と、を有して構成されている。制御部４３内の記憶部４３ａには、画像情報などの可変情報を記憶するＲＡＭやフラッシュＲＯＭとソフトウェアなどの固定情報を記憶するＲＯＭで構成されている。
【００２１】
以上のように構成された画面共有システムについて、図５に示すフローチャートに基づいて、その動作を説明する。
まず、画面共有装置３の接続検知部３４は画面共有装置３がＵＳＢインタフェースに接続されたかを検知し（ステップＳ５０１）、画面共有装置３がＵＳＢインタフェースに接続されたことを検知していない場合、再び画面共有装置３がＵＳＢインタフェースに接続されたかを検知する。
【００２２】
一方、ステップＳ５０１において、接続検知部３４は画面共有装置３がＵＳＢインタフェースに接続されたと検知した場合、制御部３３に検知信号を送出してＵＳＢインタフェースに接続されたことを通知し、制御部３３が接続検知部３４からの検知信号を受信すると、インストール部３５にソフトウェアのインストールを指示し、インストール部３５がそのインストール指示を受け取り、制御部３３内の記憶部３３ａに記憶されている必要なソフトウェアをホスト端末２にインストールする（ステップＳ５０２）。
【００２３】
ここで、画面共有装置３はホスト端末側の画面共有装置であるので、インストール部３５でインストールされたのは制御部３３内の記憶部３３ａに記憶されているホスト側画面共有プログラムである。
【００２４】
同時に、クライアント端末側の画面共有装置４の接続検知部４４も、画面共有装置４がＵＳＢインタフェースに接続されたかを検知し（ステップＳ５０３）、ＵＳＢインタフェースに接続されたことを検知していない場合、再び画面共有装置４がＵＳＢインタフェースに接続されたかを検知する。
【００２５】
一方、ステップＳ５０３において、接続検知部４４がインタフェースに接続されたと検知した場合、制御部４３に検知信号を送出してインタフェースに接続されたことを通知し、制御部４３が接続検知部４４からの検知信号を受信すると、インストール部４５にソフトウェアのインストールを指示し、インストール部４５がそのインストール指示を受け取り、制御部４３内の記憶部４３ａに記憶されている必要なソフトウェアをクライアント端末５にインストールする（ステップＳ５０４）。
【００２６】
ここで、画面共有装置４はクライアント端末側の画面共有装置であるので、インストール部４５でインストールされたのは制御部４３内の記憶部４３ａに記憶されているクライアント側の画面共有プログラムである。
【００２７】
必要なソフトウェアをインストールした後、ホスト端末側の画面共有装置３の制御部３３は、画面情報送信部３２に対して通信確認信号を送出することを指示し、画面情報送信部３２はその通信確認信号送出指示を受け取り、アンテナ３８を介して通信確認信号を送出する（ステップＳ５０５）。
【００２８】
ホスト端末側の画面共有装置３から送出した通信確認信号がブルートゥース方式などの無線通信手段により伝送され、クライアント側の画面共有装置４の画面情報受信部４１がアンテナ４８を介してその通信確認信号を受信し、制御部４３に通信確認信号を受信したことを通知する（ステップＳ５０６）。
【００２９】
制御部４３が画面情報受信部４１からの通信確認信号受信通知を受けると、信号送信部４９に受信済信号の送出を指示し、信号送信部４９がその受信済信号送出指示を受け取り、アンテナ４８を介して受信済信号を送信する（ステップＳ５０７）。
【００３０】
クライアント側の画面共有装置４から送出した受信済信号がブルートゥース方式などの無線通信手段により伝送され、ホスト端末側の画面共有装置３の信号受信部３９がアンテナ３８を介してその受信済信号を受信して、制御部３３に受信済信号を受信したことを通知し、制御部３３がその受信済信号受信通知を受け取り、通信通路を確保したことを確認する（ステップＳ５０８）。
【００３１】
制御部３３が通信通路を確保したことを確認した上で、画面情報読取部３１にホスト端末２の画面情報を読み取るよう指示し、画面情報読取部３１がその指示を受け取り、ホスト端末２からホスト端末２の画面情報を読み取る（ステップＳ５０９）。
【００３２】
この時読み取った画面情報は、ホスト端末２に表示している画面のスクリーンコピーまたはＶＲＡＭの情報である。
【００３３】
そして、画面情報送信部３２がアンテナ３８を介して画面情報読取部３１で読み取った画面情報を送信する（ステップＳ５１０）。画像情報を読み取って送信するタイミングは、ドライバ等で設定可能な所定時間間隔でもよいし、ＶＲＡＭの情報変化時を検出した場合でもよく、またホスト端末２側で所定のキー操作や画面の所定場所をマウスでクリックするなどの所定入力を行った場合でもよい。
【００３４】
送信された画面情報はブルートゥース方式などの無線通信手段により伝送され、クライアント端末側の画面共有装置４の画面情報受信部４１がアンテナ４８を介してホスト端末側の画面共有装置３からの画面情報を受信し（ステップＳ５１１）、画面情報表示部４２が受信した画面情報をクライアント端末５のＶＲＡＭ等に書き込むなどし、表示部に表示させる（ステップＳ５１２）。
【００３５】
クライアント端末５で画面共有装置４のドライバ上で接続が切断されるなどをチェックし、クライアント端末側の画面共有装置４の切断検知部４６がインタフェースへの接続が切断されたかを判定し（ステップＳ５１３）、インタフェースへの接続が切断されていないと判定した場合、ステップＳ５１１に戻り、再びホスト端末側の画面共有装置３からの画面情報を受信する。
【００３６】
一方、ステップＳ５１３において、切断検知部４６がインタフェースへの接続が切断されたと判定した場合、切断検知部４６が制御部４３に切断検知信号を送出し、インタフェースへの接続が切断されたことを通知し、制御部４３がその切断検知通知を受けると、アンインストール部４７にソフトウェアのアンインストールを行うよう指示し、アンインストール部４７がその指示を受け取り、ソフトウェアのアンインストールを行い（ステップＳ５１４）、処理が終了する。
【００３７】
ホスト端末側の画面共有装置３も、ステップＳ５１０において、画面情報送信を行った後、ホスト端末２で画面共有装置３のドライバ上で接続が切断されるなどをチェックし、切断検知部３６がインタフェースへの接続が切断されたかを判定し（ステップＳ５１５）、インタフェースへの接続が切断されていないと判定した場合、ステップＳ５０９に戻り、再びホスト端末２から画面情報を読み取って送信する。
【００３８】
一方、ステップＳ５１５において、切断検知部３６がインタフェースへの接続が切断されたと判定した場合、切断検知部３６が制御部３３に切断検知信号を送出し、インタフェースへの接続が切断されたことを通知し、制御部３３がその切断検知通知を受けると、アンインストール部３７にソフトウェアのアンインストールを行うよう指示し、アンインストール部３７がその指示を受け取り、ソフトウェアのアンインストールを行う（ステップＳ５１６）。そして、処理が終了する。
【００３９】
このような本発明の実施の形態の画面共有装置によれば、近距離無線方式の一方式であるブルートゥース方式などの無線通信手段を用いて画面情報を伝送することにより、ネットワーク設備のない場所であっても、近隣にある複数台の端末が同一の画面を共有することができ、各端末に対する煩雑なネットワークの設定も不要である。
【００４０】
また、画面共有装置がインタフェースに接続されたとき、自動的に必要なソフトウェアをインストールし、インタフェースへの接続が切断されたとき、自動的にソフトウェアをアンインストールする。これにより、初対面のもの同士でも画面を共有することができる。
【００４１】
さらに、複数台の端末が共有した画面情報はホスト端末の画面のスクリーンコピーまたはＶＲＡＭの書き換えのみであり、表示元の画面データファイルなどは共有されないので、情報漏洩などに対するセキュリティも確保することができる。
【００４２】
なお、本実施の形態の画面共有システム１においては、画面共有装置３はホスト端末専用のソフトウェアを制御部３３の記憶部３３ａに持つ装置を用い、画面共有装置４はクライアント端末専用のソフトウェアを制御部４３の記憶部４３ａに持つ装置を用いずとも、各制御部３３，３４の記憶部３３ａ，４３ａに、ホスト画面共有ソフトウェア及びクライアント側画面共有ソフトウェアの両方を記憶させておき、画面共有装置３、４のいずれでも、各端末に接続したときに、該端末をホスト端末にするか、あるいは、クライアント端末にするかを選択する画面を表示し、どちらにするかをこのとき選択するという方法により決め、該当するプログラムをインストールするようにしてもよい。
または、画面共有システム１に存在する端末のうち、ＵＳＢインタフェース（情報機器用のインタフェース）に最初に接続された端末がホスト端末となるようにしてもよい。勿論、この場合には、ホスト端末が決められた以降に接続された端末は、全てクライアント端末となる。
本発明の形態の画面共有システム１においては、ホスト端末２、クライアント端末５に画面共有装置３、４が接続された時、インストールするプログラムの中にアンインストールするプログラムも含めてインストールしておき、ホスト端末２、クライアント端末５から画面共有装置３、４が引き抜かれた時に、ドライバにより自動的にアンインストールプログラムを動作させ、インストールされたソフトウェアをアンインストールさせてもよい。
【図面の簡単な説明】
【００４３】
【図１】本発明の実施の形態の画面共有装置を用いて、画面を共有する時の概念図である。
【図２】本発明の実施の形態に係る画面共有システムの構成を示す図である。
【図３】ホスト端末側の画面共有装置の構成を示すブロック図である。
【図４】クライアント端末側の画面共有装置の構成を示すブロック図である。
【図５】本発明の実施の形態に係る画面共有システムの動作を示すフローチャート図である。
【図６】従来例の遠隔プレゼンテーションシステムの概略構成図である。
【符号の説明】
【００４４】
１…画面共有システム、２…ホスト端末、３…（ホスト端末側の）画面共有装置、４…（クライアント端末側の）画面共有装置、５…クライアント端末、３１…画面情報読取部、３２…画面情報送信部、３３，４３…制御部、３３ａ，４３ａ…記憶部、３４，４４…接続検知部、３５，４５…インストール部、３６，４６…切断検知部、３７，４７…アンインストール部、３８，４８…アンテナ、３９…信号受信部、４１…画面情報受信部、４２…画面情報表示部、４９…信号受信部
【図１】
2006127200.tif 000003
【図２】
2006127200.tif 000004
【図３】
2006127200.tif 000005
【図４】
2006127200.tif 000006
【図５】
2006127200.tif 000007
【図６】
2006127200.tif 000008